(57)【要約】【課題】  引き戸に設ける鎌錠の受座について、簡易な構成により低廉なコストで耐久性に優れたものとしながら、前後方向および上下方向の誤差によるガタツキを解消することに加え引き戸の厚さ方向のガタツキも解消する。【解決手段】  前板１０の開口部１１を、幅広部１１ａと下に向かって幅が縮小するテーパ部１１ｂと、これに続き係止部２２を備えたスライド体２０が配設される上下調整スリット１１ｃとを備え、スライド体２０が、外側から上下調整ネジ３０ｂが貫通し裏側に配設された固定板２３のネジ孔に螺入することで前板１０外面に固定され、上下調整ネジ３０ｂを緩めることで上下位置を調整可能とし、係止部２２がフック先端が当接して掛止される当接面２２ｂを有してスライド体２０外側から貫通した前後調整ネジ３０ａで背面側に固定され、前後調整ネジ３０ａを回すことで当接面２２ｂの前板からの深さを調整可能なものとした。【選択図】      図２
2006265984.tif 000002
【特許請求の範囲】
【請求項１】
受座の前板開口部が、上端側の幅広部と、該幅広部下端から連続し下に向かって幅が縮小するテーパ部と、該テーパ部下端に連続し、フックが掛止される係止部を備えたスライド体が上下に摺動可能に配設される前記幅広部よりも幅狭の上下調整スリットと、を備えている引き戸用の鎌錠の受座であって、
前記スライド体が、前記上下調整スリット上の前記前板外面において外側から上下調整ネジが貫通し前記上下調整スリットを通って前記前板裏側に配設された固定板のネジ孔に螺入することで固定されるとともに前記上下調整ネジを緩めることで上下位置を調整可能とされており、
前記係止部が前記スライド体外側から貫通した前後調整ネジで前記前板を挟んだ背面側に固定されているとともに前記フックの先端鉤部が当接して掛止される垂直の当接面を有しており、外側から前記前後調整ネジを回すことで前記当接面の前板からの深さが調整可能とされている、
ことを特徴とする鎌錠の受座。
【請求項２】
前記スライド体は、上端側が前記上下調整スリットを挿通して内側に折り返された折り返し部が設けられており、該折り返し部が、前記上下調整スリットよりも幅狭でこれを挿通する首部と前記上下調整スリットよりも幅広で両端内側面で前記前板内側面に当接して該前板を挟み込む押さえ部を有し前記スライド体の水平方向の動きを制限するものとされている、ことを特徴とする請求項１に記載した鎌錠の受座。
【請求項３】
前記スライド体の折り返し部は、施錠時に前記フックの腕部下面が前記首部上面に当接し、施錠状態において前記フックを前記掛止部とともに支持するものとされている、ことを特徴とする請求項１または２に記載した鎌錠の受座。
【発明の詳細な説明】
【技術分野】
【０００１】
本発明は、引き戸における柱や縦枠に埋設され、引き戸閉鎖時に鎌錠のフックが係合する鎌錠の受座に関する。
【背景技術】
【０００２】
従来より、引き戸端面と柱または縦枠とを当接させて連結する簡便な施錠手段として、鎌錠が広く用いられている。
【０００３】
一般的な鎌錠は、引き戸などの端面に彫り込まれた取付け孔に埋設される鎌錠本体と、柱や縦枠に彫り込まれた取付け孔に埋設される筺状の受座とからなり、鎌状本体のフックをレバーハンドルなどで回動させて受座の前板に設けた開口部に係入させ、フックが前板裏面に掛止されることにより施錠されるようになっている。
【０００４】
ところで、斯かる鎌錠の施錠時においては、前板の開口部に係入したフックの先端鍵部を前板の裏面にぴったりと当接した状態で掛止させることが、掛止状態の安定のために好ましい。しかし、引き戸の建て付け後に鎌錠の組立て誤差や取付け誤差などにより掛止ストロークが余って、フックと前板の裏面とが当接されずにガタツキが生じたり、或いはフックの掛かりがきつい場合にしっかりと掛止されなかったりする、という問題がある。
【０００５】
特に、フックの前後方向（引き戸の幅方向）の誤差により、引き戸端面と柱や縦枠の当接面との間に隙間が生じると、使い勝手が悪くなることに加えて隙間に薄板を差し込むことでフックを外すことが容易となり、防犯上の問題も生じやすいものとなる。
【０００６】
そこで、前後方向のガタツキにより発生する問題を解決するための手段として、本願出願人らは、特開平９−１１２０８６号公報において、受座における前板裏面の開口部下方に上片をフックの掛止部とした「くの字」形状の係止部材が屈曲部において回動自在に配置されて係止部の下片がバネで前板裏面に付勢されるとともに係止部がバネの付勢力で内側へ付勢されたものとして、フックと係止部との距離を調整することなく係止部に働く付勢力でガタツキの発生を回避する手段を提案した。
【０００７】
ところが、この受座は鎌錠の前後方向の誤差によるガタツキの調整を不要とするものの、受座におけるバネの付勢力が弱まった場合にフックが掛止された係止部が回動し易くなりすぎて、施錠時に引き戸と縦枠との間に隙間が出来やすくなり、反対にバネの付勢力を強く設定し過ぎるとフックを掛けるときの抵抗が大きくなってフックによる施錠操作性を悪化させる、という欠点を有している。
【０００８】
また、この受座は前後方向の誤差を解消できるものの上下方向の誤差は解消することができないため、引き戸の上下方向のズレ等により、フックの係止状態が斜め上向きになったり、フックの腕部下面と係止部との間に隙間が生じたりする場合には、ガタツキが生じやすくなることに加えフックが外れやすくなる、という問題が生じる。
【０００９】
この問題に対し、特開２００４―１２４３８３号公報には、受座の係止部に引き戸の前後方向の位置を調整する調整ネジに加えて上下方向に調整する調整ネジを設けたものが提示され、特開２００１―８２００５号公報には、受座内において上下に調整可能なスライド枠体と前後に調整可能な調整枠体とを設けることで前後および上下の調整を可能とした手段が提示されている。
【００１０】
これらの手段により、引き戸や鎌錠に発生した前後の誤差のみならず上下の誤差についても調整できるものとなる。しかしながら、斯かる技術においても、引き戸の厚さ方向において生じる誤差は解消することができない。即ち、フックの厚さと前板の開口部またはその係止部の幅との間に遊びがない場合においては、引き戸や鎌錠のフック自体に厚さ方向の誤差が生じた場合に、引き戸閉鎖時にこれらが衝突してフックを係入出来なくなる事態が生じることがある。従って、いずれの鎌錠も厚さ方向の多少の誤差を想定してフック幅と開口部または係止部の幅との間に所定の遊びを設けていることから、施錠時に厚さ方向のガタツキが生じやすいものとなっている。
【００１１】
また、これら複数の調整手段を備えた鎌錠の受座は、構造が複雑となって製造コストが嵩みやすくなり、且つ、精巧な構造を有する調整手段および係止部の耐久性も問題となりやすい。
【特許文献１】特開平９−１１２０８６号公報
【特許文献２】特開２００４―１２４３８３号公報
【特許文献３】特開２００１―８２００５号公報
【発明の開示】
【発明が解決しようとする課題】
【００１２】
本発明は、上記のような問題点を解決しようとするものであり、引き戸に設ける鎌錠の受座について、簡易な構成により低廉なコストで耐久性に優れたものとしながら、前後方向および上下方向の誤差によるガタツキを解消することに加え引き戸の厚さ方向のガタツキも解消することを課題とする。
【課題を解決するための手段】
【００１３】
そこで本発明は、受座の前板開口部を、上端側の幅広部と、その下端から連続し下に向かって幅が縮小するテーパ部と、その下端に連続して、フックが掛止される係止部を備えたスライド体が上下に摺動可能に配設される幅広部よりも幅狭の上下調整スリットと、を備えた引き戸用鎌錠の受座として、そのスライド体が、上下調整スリット上の前板外面において外側から上下調整ネジが貫通し上下調整スリットを通って前板裏側に配設された固定板のネジ孔に螺入することで固定されるとともに上下調整ネジを緩めることで上下位置を調整可能とされており、且つ、その係止部がスライド体外側から貫通した前後調整ネジで前板を挟んだ背面側に固定されているとともにフックの先端鉤部が当接して掛止される垂直の当接面を有しており、外側から前後調整ネジを回すことで当接面の前板からの深さを調整可能としたものとした。
【００１４】
このように鎌錠の受座を簡易な構成としたことで、製造コストを低廉に抑えることができるとともに、受座外側からドライバなどを用いて前後調整ネジを回すだけで前後方向の調整が可能となり、上下調整ネジを回して緩めることで上下方向の調整が可能となる。これに加えて、開口部にフックが最初に係入する幅広部の下方に幅が縮小するスリット部を設けたことで、幅広部をフックの厚さより所定の幅だけ幅広とした場合にフックを開口部から係入させるのが容易且つ確実となるとともに、施錠状態において幅広部よりも幅狭でフック進入時に幅の遊びの少ないテーパ部の下端側またはこれに続く上下調整スリットにフックが進入して、引き戸の厚さ方向のガタツキを制限できるものとなる。
【００１５】
また、このスライド体を、上端側が上下調整スリットを挿通して内側に折り返された折り返し部を設けたものとし、この折り返し部が上下調整スリットよりも幅狭でこれを挿通する首部と上下調整スリットよりも幅広でその両端内側面で前板内側面に当接して前板を挟み込む押さえ部からなり、スライド体の水平方向の動きを制限するものとすれば、フックの掛止状態が安定してガタツキが一層減少するとともに、上下方向の調整時において上下調整ネジを緩めたときにスライド体が脱落する心配がなく、調整が極めて容易なものとなる。
【００１６】
さらに、このスライド体の折り返し部について、施錠時にフックの腕部下面が首部上面に当接するものとし、施錠状態においてフックを掛止部とともに支持するものとすれば、フックの係止圧力を分散することができるため、極めて耐久性に優れたものとすることができる。
【発明の効果】
【００１７】
本発明によると、鎌錠の受座を簡易な構成としてコストの低廉化を実現するとともに、耐久性に優れたものとすることができる。また、開口部にテーパ部とこれに続く上下調整スリットを設けたことで、前後および上下方向の誤差を解消することに加え、引き戸の厚さ方向に生じるガタツキも解消することができるものである。
【発明を実施するための最良の形態】
【００１８】
図面を参照して本発明の実施の形態を説明すると、図１乃至図４は本実施の形態における鎌錠の受座１を示している。図１（Ａ）は受座１の正面図であり、（Ｂ）は（Ａ）のＸ−Ｘ線に沿う断面図であり、（Ｃ）は（Ａ）のＹ―Ｙ線に沿う断面図である。受座１は、図示しない縦枠または柱の引き戸が当接する面の引き戸側鎌錠本体に対応する位置に彫り込まれた取付け孔に、筺体１３が埋設されるとともに、その開口面を覆って金属製で略長方形の前板１０が、ネジ３０ｃ，３０ｄで固定されてなるものである。
【００１９】
前板１０の開口部１１は、係入するフックの軌道に合わせて縦長に切り欠かれており、上から方形の幅広部１１ａ、これに続いて下方向に縮小するテーパ部１１ｂ、これに続く縦長スリット状の上下調整スリット１１ｃからなる。幅広部１１ａは、これを通過して係入する鎌錠本体のフックの厚さ（幅）よりも幅広とされるが、一般的にはフック厚さの２倍以上とすることで引き戸の厚さ方向の誤差が多少生じていても確実にフックが係入されやすいものとなる。
【００２０】
幅広部１１ａの下端側に連続し下方向に向かって縮小するテーパ部１１ｂは、その下端側において幅広部１１ａよりも幅狭で係入するフックの厚さよりも僅かに幅広の上下調整スリット１１ｃ上部側に連通する。このように、幅広部１１ａと上下調整スリット１１ｃとの間にテーパ日１１ｂを設けたことで、幅広部１１ａから進入したフックに引き戸の厚さ方向の誤差が生じていても、その腕部がスムースに案内されてテーパ部１１ｂ下端もしくは上下調整スリット１１ｃに進入することができる。
【００２１】
上下調整スリット１１ｃは、上側のフック進入部１１１とその下端に段部を介して連続しこれよりも幅狭の調整ネジ摺動部１１２とからなり、その上方前板１０外面においてスライド体２０が上下に摺動可能に設けられて所定高さで固定されるようになっている。また、前板１０の開口部１１端縁付近には、テーパ部１１ｂ中途から上下調整スリット１１ｃの下側に至るまでスライド体２０を前板１０外面と面一に収装してこれを上下に摺動させる、スライド体２０よりも幅広で縦長の摺動凹部１５が形成されている。
【００２２】
図２の分解斜視図を参照して、スライド体２０は、胴部２１ａとその上部を内側に折り返した折り返し部２１ｂとを備えた金属製薄板からなる本体２１と、その背面側に前後調整ネジ３０ａで固定される係止部２２と上下調整ネジ３０ｂで固定される固定板２３とからなる。
【００２３】
本体２１の胴部２１ａは、金属製で上部が方形で下部が半円形の板材からなり、縦方向に並ぶ２つの固定穴２１０，２１１が穿設されており、これらを前後調整ネジ３０ａと上下調整ネジ３０ｂが外側から貫通する。そして、その上部で内側に折り返された折り返し部２１ｂは、上下調整スリット１１ｃのフック進入部１１１のスリット幅よりも僅かに幅狭の首部２１２で水平方向にこれを通過して下方に屈曲しフック進入部１１１よりも幅広に拡大された押さえ部２１３の両端内側面で前板１０内側面に当接してこれを挟み込むようになっている。尚、この押さえ部２１３の幅は幅広部１１ａよりも僅かに幅狭となっているため、折り返し部２１ｂ先端側を幅広部１１ａに挿通させて下方に摺動させることで、スライド体２０を前板１０に装着できるようになっている。
【００２４】
そして、前板１０に装着されたスライド体２０の背面側には、金属製で長方形の板材を平面視コ字状に屈曲させてなる係止部２２が、その中央部分外面に突設されたネジ孔を有する円柱状の脚部２２ａに前後調整ネジ３０ａを螺入することで固定されている。この係止部２２は、その左右幅が筺体１３の内側幅よりも僅かに小さいほぼ同一幅とされて筺体１３内で幅方向の動きを制限されており、中央部の内側面が図示しない鎌錠本体から突出して係入したフックの先端鉤部の内側面が当接して掛止する垂直の当接面２２ｂとされており、前後調整ネジ３０ａを回すことで、この当接面２２ｂの前板１０からの深さが調整できるようになっている。
【００２５】
また、スライド体２０の背面側で係止部２２の下方位置には、調整ネジ摺動部１１２のスリット幅よりも幅広で方形の金属製板材からなる固定板２３が、そのネジ孔２３ａに上下調整ネジ３０ｂを螺入されて、その内側面とスライド体２０の胴部２１ａ裏側面とで前板１０を挟み込むことで、スライド体２０を前板１０上の所定高さに固定するようになっている。また、この上下調整ネジ３０ｂを緩めることでスライド体２０を上下に摺動可能として、係止部２２の高さを所定範囲で自在に変更できるようになっている。
【００２６】
次に、本実施の形態の鎌錠の受座１の作用について、図３および図４を用いて説明する。
【００２７】
図３は、一点鎖線で示す引き戸側の鎌状本体５０のフック５１が、受座１に係入して施錠している状態を示している。このとき、フック５１は前後・左右の位置に誤差がなく、腕部５１ａ下面が水平に首部２１２上面と当接面２２ｂ上端に接しているとともに、先端鉤部５１ｂの内側面が係止部２２の当接面２２ｂにぴったりと当接しており、掛止状態が安定して引き戸にガタツキが生じない状態となっている。また、引き戸の厚さ方向に多少の誤差があっても、フック５１は開口部１１のテーパ部１１ｂに案内され上下調整スリット１１ｃのフック５１の幅よりも僅かに幅広のフック進入部１１１にスムースに進入して停止し、引き戸の厚さ方向のガタツキを制限するものとなっている。
【００２８】
一方、図４（Ａ）は、鎌状取り付け時の位置誤差または取り付け後の変形などにより生じた誤差になどより、フック５１に上下方向および前後方向にズレが生じて、施錠状態でフック５１と係止部２２との間に隙間が生じ、上下左右にガタツキが生じやすい状態となった場合を示している。
【００２９】
この場合、図４（Ｂ）に示すように、上下調整ネジ３０ｂを一旦緩めてスライド体２０を上方向に摺動させ、フック５１の腕部５１ａ下面がスライド体２０の首部２１２上面および係止部２２の当接面２２ｂ上端に当接する位置に上下調整ネジ３０ｂを締めて移動させた後に固定し、前後調整ネジ３０ａを回して、当接面２２ｂにフック５１の先端鉤部５１ｂの内側面がぴったりと当接するまで係止部２０を奥方向に移動させて固定する。
【００３０】
このように極めて簡単な手順により、施錠時におけるフック５１の上下および前後方向の誤差を解消することができ、容易にガタツキを解消することができるものである。尚、スライド体２０の押さえ部２１３で前板１０を常に挟んでいるので、上下固定ネジ３０ｂを緩めた場合でもスライド体２０が前後に揺動したり脱落したりすることがないため、調整操作が極めて容易なものとなる。また、施錠状態において、係止部２２だけでなくスライド体２０の首部２１２上面でもフック５１を支えるものであることから、掛止状態が安定するとともに、フック５１の当接部分の剛性が高いものとなって極めて耐久性に優れたものとなる。
【図面の簡単な説明】
【００３１】
【図１】（Ａ）は本発明の実施の形態を示す正面図、（Ｂ）は（Ａ）のＸ−Ｘ線に沿う断面図、（Ｃ）は（Ａ）のＹ−Ｙ線に沿う断面図。
【図２】図１の受座の分解斜視図。
【図３】図１の受座の施錠状態を示す縦断面図。
【図４】（Ａ）は図１の受座の施錠状態において、フックに上下左右の誤差が生じている場合を示す縦断面図、（Ｂ）は（Ａ）の受座を調整後の状態を示す縦断面図。
【符号の説明】
【００３２】
１  受座、  １０  前板、  １１  開口部、  １１ａ  幅広部、  １１ｂ  スリット部、  １１ｃ  上下調整スリット、  １２  筺体、  ２０  スライド体、  ２１ａ  胴部、  ２１ｂ  折り返し部、  ２１２  首部、  ２１３  押さえ部、  ２２  係止部、  ２２ａ  脚部、  ２２ｂ  当接面、  ２３  固定板、  ２３ａ  ネジ孔、  ３０ａ  前後調整ネジ、  ３０ｂ  上下調整ネジ、  ３０ｃ，３０ｄ  固定ネジ、  ５０  鎌状本体、  ５１  フック、  ５１ａ  腕部、  ５１ｂ  先端鉤部
【図１】
2006265984.tif 000003
【図２】
2006265984.tif 000004
【図３】
2006265984.tif 000005
【図４】
2006265984.tif 000006